(57)【要約】  【課題】一つの給水枡で地表面への給水と地下に埋設した有孔管への給水とを行うことができ、さらに、有孔管の洗浄機能や地表水の排水機能も兼ね備えることができる地下灌漑用給水枡を提供する。  【解決手段】  圃場（耕作区１３）の地中に有孔管２２を埋設するとともに該有孔管２２の下流側に耕作区１３の水位を設定するための水位設定器２４を接続した地下灌漑システムに給水路１４から取水した用水を供給するための地下灌漑用給水枡４１であって、前記給水路１４に取水量制御手段５１を介して接続した取水口４２と、耕作区１３内に連通した圃場給水口４３と、前記有孔管に用水を供給するための地下給水管３５に接続した地下灌漑用給水口４４とを備えるとともに、前記圃場給水口４３に地上給水量制御手段５２を、前記地下灌漑用給水口４４に地下給水量制御手段５３をそれぞれ設ける。  【選択図】図１
2005021125.tif 000002
【特許請求の範囲】
【請求項１】
圃場の地中に有孔管を埋設するとともに該有孔管の下流側に圃場の水位を設定するための水位設定器を接続した地下灌漑システムに給水ラインから取水した用水を供給するための地下灌漑用給水枡であって、
前記給水ラインに、取水量制御手段を介して接続した取水口と、圃場内に連通した圃場給水口と、前記有孔管に用水を供給するための地下給水管に接続した地下灌漑用給水口とを備えることを特徴とする地下灌漑用給水枡。
【請求項２】
前記圃場給水口に地上給水量制御手段を、前記地下灌漑用給水口に地下給水量制御手段を、それぞれ設けたことを特徴とする請求項１記載の地下灌漑用給水枡。
【請求項３】
前記地下給水管と前記有孔管とが前記水位設定器側で接続していることを特徴とする請求項１又は２記載の地下灌漑用給水枡。
【請求項４】
前記取水口は、逆流防止手段を有していることを特徴とする請求項１又は２記載の地下灌漑用給水枡。
【請求項５】
前記取水口は、地下灌漑用給水枡の側壁部分に設けられていることを特徴とする請求項１又は２記載の地下灌漑用給水枡。
【請求項６】
前記取水口と前記地下灌漑用給水口との間に用水中のゴミ類を分離するためのフィルターを備えていることを特徴とする請求項１又は２記載の地下灌漑用給水枡。
【請求項７】
前記地下灌漑用給水口は、圃場地表面より下方に開口していることを特徴とする請求項１又は２記載の地下灌漑用給水枡。
【請求項８】
前記有孔管の上流側に流路開閉手段を介して地下灌漑用給水枡に接続する掃流口が設けられていることを特徴とする請求項１又は２記載の地下灌漑用給水枡。
【請求項９】
前記掃流口が前記地下灌漑用給水口に隣接して設けられ、該掃流口及び地下灌漑用給水口と前記取水口との間に用水中のゴミ類を分離するためのフィルターを備えていることを特徴とする請求項８記載の地下灌漑用給水枡。
【請求項１０】
前記掃流口は、前記地下灌漑用給水口より上方に開口していることを特徴とする請求項８記載の地下灌漑用給水枡。
【発明の詳細な説明】
【技術分野】
【０００１】
本発明は、地下灌漑用給水枡に関し、詳しくは、給水ラインから供給される用水を圃場の地表面に供給する機能と、圃場の地中に埋設されている地下灌漑用の有孔管に供給する機能とを併せ持った地下灌漑用給水枡に関する。
【背景技術】
【０００２】
近年行われつつある地下潅漑は、畑作時の圃場の地下水位を調節して毛管現象により水分を補給するものであって、地下水位を作物に適した水位に調節することによって収穫量向上等の効果を得ることができる。この地下潅漑は、圃場の地中に有孔管からなる暗渠排水パイプを埋設し、地中の余剰地下水を排水路に排出するとともに、不足する用水の供給も暗渠排水パイプを利用して行うのが一般的である（例えば、特許文献１参照。）。
【特許文献１】特開平１０−１５５３７５号公報
【発明の開示】
【発明が解決しようとする課題】
【０００３】
このような地下灌漑において、圃場で稲作を行うときには圃場の地表面に直接用水を供給する必要があり、圃場で畑作を行う場合には前記有孔管に用水を直接供給する必要がある。しかしながら、従来の地下灌漑では、圃場の地表面に用水を供給するための給水装置と、地下の有孔管に用水を供給するための給水装置とを別々に設置していたため、設備コストが上昇するだけでなく、保守作業にも手間が掛かっていた。
【０００４】
そこで本発明は、地表面にのみ給水していた給水装置、即ち給水枡に地下灌漑用の給水機能を付加し、一つの給水枡で地表面への給水と地下に埋設した有孔管への給水とを行うことができ、さらに、有孔管の洗浄機能や地表水の排水機能も兼ね備えることができる地下灌漑用給水枡を提供することを目的としている。
【課題を解決するための手段】
【０００５】
上記目的を達成するため、本発明の地下灌漑用給水枡は、圃場の地中に有孔管を埋設するとともに該有孔管の下流側に圃場の水位を設定するための水位設定器を接続した地下灌漑システムに給水ラインから取水した用水を供給するための地下灌漑用給水枡であって、前記給水ラインに取水量制御手段を介して接続した取水口と、圃場内に連通した圃場給水口と、前記有孔管に用水を供給するための地下給水管に接続した地下灌漑用給水口とを備えることを特徴とするものである。また、本発明の地下灌漑用給水枡は、前記圃場給水口に地上給水量制御手段を、前記地下灌漑用給水口に地下給水量制御手段をそれぞれ設けたことを特徴とし、特に、前記地下給水管と前記有孔管とが前記水位設定器側で接続していることを特徴としている。
【０００６】
さらに、本発明の地下灌漑用給水枡は、上記構成において、前記取水口が、逆流防止手段を有していること、地下灌漑用給水枡の側壁部分に設けられていることを特徴とし、前記取水口と前記地下灌漑用給水口との間に用水中のゴミ類を分離するためのフィルターを備えていること、前記地下灌漑用給水口が圃場地表面より下方に開口していることを特徴としている。
【０００７】
また、前記有孔管の上流側に流路開閉手段を介して地下灌漑用給水枡に接続する掃流口が設けられていることを特徴とし、この掃流口が前記地下灌漑用給水口に隣接して設けられ、該掃流口及び地下灌漑用給水口と前記取水口との間に用水中のゴミ類を分離するためのフィルターを備えていること、この掃流口が前記地下灌漑用給水口より上方に開口していることを特徴としている。
【発明の効果】
【０００８】
本発明の地下灌漑用給水枡によれば、一つの枡の中に取水口、圃場給水口、地下灌漑用給水口、さらには掃流口を設けるようにしたので、地表面への給水だけでなく、地下灌漑用の有孔管への給水も同時に行うことができる。また、これらをまとめているので、設備コストや施工コストの低減だけでなく、用水管理の負担も大幅に軽減でき、保守作業の軽減も図れる。
【発明を実施するための最良の形態】
【０００９】
図１乃至図３は本発明の地下灌漑用給水枡の一形態例を示すもので、図１は本発明の地下灌漑用給水枡を設置した圃場の一例を示す配管系統図、図２は同じく縦断面図、図３は地下灌漑用給水枡の縦断面図である。
まず、図１及び図２に示すように、地下灌漑システムを採用した圃場には、農道１１や畦畔１２によって複数の耕作区１３が区画されており、各耕作区１３の一方の農道１１部分には給水路１４が設けられ、他方の農道部分には排水路１５が設けられている。圃場内の各耕作区１３には、作物の種類やその生育状況に応じて水位を適切に設定するための地下灌漑システムがそれぞれ設けられている。なお、給水ラインや排水ラインを構成する前記給水路１４や排水路１５は、圃場の状況に応じて任意の位置に設けることができ、畦畔１２の部分に設けることも可能であり、パイプラインでも開水路であってもよい。また、同じ農道１１部分に給水路と排水路とが併設されていてもよい。
【００１０】
地下灌漑システムは、耕作区１３の地中に、排水路１５側に設けられた集合管２１から複数の有孔管２２を分岐させて並列に等間隔で埋設するとともに、集合管２１の排水路１５側に地下排水弁２３を介して水位設定器２４を設置したものであって、この水位設定器２４を介して有孔管２２と排水路１５とが接続された状態となっている。
ここに示した水位設定器２４は、有底筒状の水位設定枡２５の内部に下部固定堰２６と上部可動堰２７とを上下動可能に設け、この堰２６，２７により、水位設定枡２５内を耕作区１３側の流入室２８と排水路１５側の排水室２９とに区画し、流入室２８に前記地下排水弁２３を介して前記集合管２１を、排水室２９に排水管３０を介して排水路１５を、それぞれ接続している。
前記下部固定堰２６と上部可動堰２７とは、水位設定枡２５の内壁に形成したガイド溝２６ａ、２７ａに上下動及び抜き差し可能で、かつ、任意の高さ位置に固定可能な状態で設けられており、両堰２６，２７は、ゴム製のパッキン等を介して水密状態で摺接するように形成されている。
【００１１】
このように形成した水位設定器２４による耕作区１３の水位の設定は、下部固定堰２６を水位設定枡２５の最下端に固定した状態で、上部可動堰２７の高さ位置を調節したり、上部可動堰２７を取り外したりして流入室２８内の水位を任意に設定することにより行うことができ、耕作区１３からの排水は、下部固定堰２６を上方に引き上げたり、取り外したりすることによって行うことができる。
さらに、耕作区１３の排水路１５側には、水位設定器２４の前記流入室２８に給排水弁３１を介して接続した給排水枡３２が設けられている。この給排水枡３２の耕作区側には、堰板３３を着脱可能に設けた給排水口３４が設けられており、前記給排水弁３１を開き、給排水口３４から堰板３３を取り外した状態で、耕作区１３の地表面からの余剰水の排出や耕作区１３の地表面への用水の給水を行うことができるようにしている。
【００１２】
そして、耕作区１３の給水路１４側に、本発明を適用した地下灌漑用給水枡４１が設けられている。この地下灌漑用給水枡４１は、給水路１４から用水を取り入れるための取水口４２と、耕作区１３の地表面に連通した圃場給水口４３と、前記有孔管２２に用水を供給するための地下給水管３５に接続した地下灌漑用給水口４４と、前記有孔管２２の上流側に接続する掃流口４５とを備えており、前記取水口４２及び圃場給水口４３と、地下灌漑用給水口４４及び掃流口４５との間には、用水中のゴミ類を分離するためのフィルター４６が設けられている。
【００１３】
地下灌漑用給水枡４１の側壁を貫通した状態で設けられている前記取水口４２は、図３にも示すように、取水弁等の取水量制御手段５１を介して前記給水路１４に接続しており、給水路１４を流れる用水との間の僅かな圧力差によって地下灌漑用給水枡４１内に用水を取水できるようにするとともに、取水口部分の施工や管理を簡単に行えるようにしている。この取水量制御手段５１には、取水量を調節する機能だけではなく、取水した用水の水勢を緩和する機能や、耕作区１３から給水路１４への逆流を防止する機能を備えたものを使用することが好ましく、例えば、取水量制御手段５１の先に、内部に邪魔板等を設けた水勢緩和器５１ａ等を取り付けておくことが望ましい。なお、図３に示す給水路１４は、Ｕ字溝の中にパイプラインを敷設したものとなっている。
【００１４】
また、前記圃場給水口４３は、地下灌漑用給水枡４１の側壁部に耕作区１３に連通する開口を形成し、この開口に堰のような地上給水量制御手段５２を設けたものであって、この地上給水量制御手段５２によって給水量（給水水位）を制御するとともに、圃場給水口４３を開閉できるようにしている。
さらに、前記地下灌漑用給水口４４は、止水栓等の地下給水量制御手段５３を介して前記地下給水管３５に接続している。この地下給水管３５は、耕作区１３の地中に、前記有孔管２２と同程度の深さ、好ましくは有孔管２２よりも深い位置に、水平方向あるいは排水路１５側に向かって適度な水勾配を設けた状態で埋設されており、末端が前記水位設定器２４における流入室２８の下部に接続し、流入室２８から地下排水弁２３及び集合管２１を介して有孔管２２の排水側に接続した状態となっている。また、前記掃流口４５は、止水栓等の流路開閉手段５４を介して掃流分岐管３６に接続しており、この掃流分岐管３６に前記有孔管２２の上流側がそれぞれ接続されている。
【００１５】
このように形成した地下灌漑用給水枡４１は、稲作時における地表水位の管理と畑作時における地下水位の管理とに応じて用水を効果的に耕作区１３に供給することができる。例えば、稲作時において、耕作区１３内に用水を供給する際には、水位設定器２４の上部可動堰２７を田面水位に対応した位置に引き上げた状態で、地下灌漑用給水枡４１における取水量制御手段５１、地上給水量制御手段５２及び地下給水量制御手段５３と、排水側にある給排水弁３１及び地下排水弁２３とを開いた状態とする。
これにより、給水路１４を流れる用水が取水口４２から地下灌漑用給水枡４１に流入し、圃場給水口４３から耕作区１３の地表に直接供給されるとともに、地下灌漑用給水口４４から地下給水管３５に流入した用水が水位設定器２４の流入室２８に流入し、その一部が給排水枡３２を通って耕作区１３の地表に排水路側から供給され、残りの用水が集合管２１から有孔管２２を経て耕作区１３の地中に供給される。このようにして耕作区１３に用水を供給することにより、耕作区１３への大量の用水の供給を短時間で行うことができる。耕作区１３の余剰の用水は、水位設定器２４の上部可動堰２７を超えて排水室２９に流下し、排水管３０から排水路１５に排出される。なお、用水の供給箇所及び給水量は、地上給水量制御手段５２、地下給水量制御手段５３、給排水弁３１及び地下排水弁２３の開閉等によって任意に選択することができる。
【００１６】
代掻き等で用水中に耕作区１３内の土が多量に舞い上がるようなときは、圃場給水口４３の地上給水量制御手段５２を閉じて耕作区１３の用水が地下灌漑用給水枡４１内に流入しないようにしておくことにより、大量の土を含む水が地下灌漑用給水枡４１から給水路１４に逆流したり、地下給水管３５に流入することを防止できる。この場合も、地下給水量制御手段５３を開いて地下給水管３５から有孔管２２への給水を継続することにより、耕作区１３内の水位が低下することはない。
【００１７】
耕作区１３内の水位を維持する場合、前述のように、地下灌漑用給水枡４１の圃場給水口４３と地下灌漑用給水口４４とからの用水供給を継続した状態としておいてもよいが、地上給水量制御手段５２を閉じて圃場給水口４３から耕作区地表面への用水の流入を止め、地下給水管３５から有孔管２２や給排水枡３２に用水を供給する状態にすることもできる。このような状態で用水管理を行うことにより、蒸発や地中への浸透によって耕作区１３内の水量が減少した場合には、主として給排水枡３２から耕作区１３内に用水が流入して水位を維持し、降雨等により耕作区１３内の水位が上昇すると、余剰の用水が給排水枡３２から水位設定器２４の上部可動堰２７を超えて排出される状態となる。
これにより、耕作区１３内の水位が水位設定器２４に設定した水位、例えば、地上１５〜２５ｃｍ、特に２０ｃｍ程度に維持することができる。このように、耕作区１３への給排水を、地下灌漑用給水口４４に接続した地下給水管３５を介して排水路側に接続した有孔管２２や給排水枡３２で行うことにより、耕作区１３内に給水路１４側から排水路１５側へ向かう用水の流れが発生せず、この流れに伴って農薬や肥料等が排水路１５に流出することがなくなり、農薬や肥料等の効果が十分に得られるとともに、農薬等の流出による環境破壊の問題も解消することができる。さらに、有孔管２２から給水することにより、地表から地下に浸透する水量が減少するので、これによっても農薬や肥料の有効活用が図れる。
【００１８】
また、地下給水量制御手段５３を閉じて地上給水量制御手段５２を開放することにより、耕作区１３内に給水路側の地下灌漑用給水枡４１から排水路側の給排水枡３２に向かう適度な水の流れを形成することができるので、例えば、夏季に耕作区１３内の水温を下げたり、硫化水素等の有害物質を地中から排出したりすることができる。特に、地表に供給した用水を有孔管２２を介して地下から排出することにより、地中の有害物質をより効果的に排出することができる。
さらに、地上給水量制御手段５２を堰で形成し、その高さを田面水位より僅かに高く設定しておくことにより、大雨で耕作区１３の水位が上昇したときに、余剰水が堰を超えて地下灌漑用給水枡４１内に流入し、地下灌漑用給水口４４から地下給水管３５を通って水位設定器２４に流れ、水位設定器２４から排出されることになるので、地下灌漑用給水枡４１からも余剰水を効率よく排出することができる。
【００１９】
一方、畑作時には、水位設定器２４で耕作区１３の地下水位を畑作時に適した地下灌漑用水位、例えば地下３０〜５０ｃｍの範囲に設定した状態で、取水量制御手段５１、地下給水量制御手段５３、地下排水弁２３及び給排水弁３１を開いておくことにより、給水路１４から地下灌漑用給水枡４１に取水した用水を、地下給水管３５から水位設定器２４の流入室２８、地下排水弁２３及び集合管２１から有孔管２２を介して耕作区１３の地中に供給し、地下水位を所定水位に保つことができる。また、降雨等によって地下水位が上昇したときには、耕作区１３の余剰の地下水が有孔管２２に流入し、水位設定器２４を経て排水管３０から排水路１５に排出することができる。さらに、大雨によって耕作区１３が冠水状態となるようなときには、地表水を給排水枡３２から直接排出することができるので、耕作区１３の冠水状態を速やかに解消することができる。
【００２０】
また、畑作時においても、耕作区１３に地表水を供給する必要があるときには、地上給水量制御手段５２を開いて地下給水量制御手段５３を閉じることにより、圃場給水口４３から地表に用水を直接供給することができる。逆に、取水量制御手段５１を閉じて水位設定器２４の下部固定堰２６を引き上げることにより、有孔管２２を通して耕作区１３の排水を速やかに行うことができる。
【００２１】
このような灌漑状態において、前記有孔管２２には、前記地下給水管３５から水位設定器２４を通り、集合管２１を経て各有孔管２２に分岐した用水がそれぞれ流入する状態となっている。このように、有孔管２２に流入する用水を、給水路１４から直接ではなく、地下灌漑用給水枡４１の地下灌漑用給水口４４から地下給水管３５を通して有孔管２２の下流側から流入するように形成したことにより、給水路１４から供給される用水に土砂等が多く含まれている場合でも、用水中の土砂等を地下給水管３５内で沈降させることができ、有孔管２２に流入する土砂等の量を大幅に減少させることができる。このとき、地下給水管３５の口径や取水量を適当に設定して用水の流速を十分に遅くすることにより、地下給水管３５での土砂等の沈降分離を略完全に行うことが可能となり、有孔管２２への土砂等の流入を確実に防止することができる。
【００２２】
また、取水口４２及び圃場給水口４３と地下灌漑用給水口４４及び掃流口４５との間にフィルター４６を設けておくことにより、給水路１４から取水した用水や耕作区１３から逆流した用水中にゴミ類が含まれていた場合でも、これが地下給水管３５や有孔管２２に流入することがなくなるので、これらの配管が閉塞してしまうことを確実に防止できる。
さらに、地下灌漑用給水枡４１に有孔管２２の上流側に接続する掃流口４５を設けておくことにより、適当な時期に地上給水量制御手段５２及び地下給水量制御手段５３を閉じて流路開閉手段５４を開くとともに、水位設定器２４の下部固定堰２６を引き上げることにより、取水口４２から取水した用水を有孔管２２の上流側から下流側に向けて流すことができるので、有孔管２２内に土砂が侵入したとしても、この土砂を有孔管２２内から排水路１５に向けて排出することができ、有孔管２２内の清掃を行うことができる。
【００２３】
なお、前記集合管２１や地下給水管３５は、複数の有孔管２２の全体に用水を供給可能な状態とするため、有孔管２２より口径の大きなものが用いられており、例えば有孔管２２の口径の２倍程度の口径のパイプを用いるようにする。また、前記取水量制御手段５１や給水量制御手段５２，５３、流路開閉手段５４、あるいは排水側の各弁は、少なくとも水の流れを遮断することができればよく、各種構造の弁だけでなく、堰や水閘を使用することもでき、流量制御機能を付加することもできる。さらに、水位設定器２４の構造も任意であり、堰に代えて二重構造のスライドパイプ型式のものなど、任意の水位設定手段を使用することが可能である。また、下部固定堰２６の高さを、畑作時の作物に最適な地下水位に対応した高さとしておくことにより、稲作時と畑作時との切り換えを、上部可動堰２７を最上方に引き上げて固定するだけの操作で行うことができる。さらに、地下灌漑用給水枡４１は、コンクリート、合成樹脂、その他の各種材料で形成することが可能であり、角筒状に限らず、円筒状に形成することもできる。
さらに、複数設けられている有孔管２２の中の一部、通常は１本に大径の有孔管を使用して前記地下給水管と同等の機能を持たせ、この大径有孔管の給水路側を前記地下灌漑用給水口４４を介して地下灌漑用給水枡４１に接続し、その他の各有孔管２２への用水の供給を、この大径有孔管から集合管２１を介して行うようにすることもできる。
【００２４】
このように、地下給水管として大径有孔管を使用した場合でも、前記同様の用水管理、地下灌漑を行えるとともに、大径有孔管内で土砂等の沈降分離を行うことができる。この大径有孔管内に沈降した土砂等は、水位設定器２４の下部固定堰２６を引き上げることにより、前記地下給水管の場合と同様にして排出することができる。
【００２５】
次に、図４乃至図６は、本発明の地下灌漑用給水枡の他の形態例を示すもので、図４は平面図、図５は断面正面図、図６は断面側面図である。なお、前記形態例に示した地下灌漑用給水枡と同一の構成要素にはそれぞれ同一の符号を付してこれらの詳細な説明は省略する。
本形態例に示す地下灌漑用給水枡６１は、農道１１の地下に埋設した給水パイプライン６２から用水を取り入れるようにした例を示すものであって、地下灌漑用給水枡６１の底部に、取水口４２、地下灌漑用給水口４４及び掃流口４５が貫通して上向きに開口しており、耕作区１３側の枡側壁には、圃場給水口４３が開口している。
【００２６】
取水口４２には、取水口４２の上端部開口を開閉する給水弁６３が装着されている。この給水弁６３は、門型のガイド部材６４に沿って取水口４２の軸線方向に上下動可能な弁体６５を設け、ハンドル６６を操作して弁体６５を上下動させることにより、取水口４２からの取水量を調節できるように形成されている。このような給水弁６３は、取水口４２の上端部開口から噴出した用水が弁体６５に衝突して周囲に散乱する状態となるので、取水した用水の水勢を緩和することができる。さらに、給水弁６３の周囲を、適当な高さの上縁を有する筒状の逆流防止堰６７で覆うことにより、耕作区１３からの逆流を防止することができる。
【００２７】
前記地下灌漑用給水口４４は、地下灌漑用給水枡６１の底面近くで、圃場地表面ＧＬより下方に開口しており、地下灌漑用給水枡６１から地下灌漑用給水口４４を介して排水も行えるようにしている。掃流口４５は、地下灌漑用給水口４４よりも上方に開口しており、有孔管を清掃する際に地下灌漑用給水枡６１の底面に土砂等が堆積していても、これらが掃流口４５に流入しないようにしている。また、地下灌漑用給水口４４及び掃流口４５には、着脱可能なキャップ７１，７２をそれぞれ装着することによって前記地下給水量制御手段及び流路開閉手段としている。
【００２８】
圃場給水口４３は、圃場地表面ＧＬよりも下方まで開口しており、開口両側部分には堰板７３を装着するためのガイド溝７３ａが設けられている。通常、この圃場給水口４３には、田面水位ＷＬに対応した高さの堰板７３を取り付けた状態とし、堰板７３をオーバーフローさせて耕作区１３の給排水を行えるようにしている。また、地下灌漑用給水枡６１の中央部には、取水口４２及び圃場給水口４３と、地下灌漑用給水口４４及び掃流口４５とを区画するようにしてフィルター４６が設けられており、地下灌漑用給水口４４や掃流口４５にゴミ類が流入することを防止している。
なお、前記図１〜図３に示した地下灌漑用給水枡４１においても、取水口部分及び給水弁以外は本形態例と同様に形成することができる。
【図面の簡単な説明】
【００２９】
【図１】本発明の地下灌漑用給水枡を設置した圃場の一例を示す配管系統図である。
【図２】同じく縦断面図である。
【図３】地下灌漑用給水枡の断面側面図である。
【図４】本発明の地下灌漑用給水枡の他の形態例を示す平面図である。
【図５】同じく断面正面図である。
【図６】同じく断面側面図である。
【符号の説明】
【００３０】
１１…農道、１２…畦畔、１３…耕作区、１４…給水路、１５…排水路、２１…集合管、２２…有孔管、２３…地下排水弁、２４…水位設定器、２５…水位設定枡、２６…下部固定堰、２７…上部可動堰、２６ａ、２７ａ…ガイド溝、２８…流入室、２９…排水室、３０…排水管、３１…給排水弁、３２…給排水枡、３３…堰板、３４…給排水口、３５…地下給水管、３６…掃流分岐管、４１…地下灌漑用給水枡、４２…取水口、４３…圃場給水口、４４…地下灌漑用給水口、４５…掃流口、４６…フィルター、５１…取水量制御手段、５１ａ…水勢緩和器、５２…地上給水量制御手段、５３…地下給水量制御手段、５４…流路開閉手段、６１…地下灌漑用給水枡、６２…給水パイプライン、６３…給水弁、６４…ガイド部材、６５…弁体、６６…ハンドル、６７…逆流防止堰、７１，７２…キャップ、７３…堰板
【図１】
2005021125.tif 000003
【図２】
2005021125.tif 000004
【図３】
2005021125.tif 000005
【図４】
2005021125.tif 000006
【図５】
2005021125.tif 000007
【図６】
2005021125.tif 000008